(57)【要約】【課題】設計の自由度の高い端子モジュールおよび端子台を提供すること。【解決手段】プッシュイン式の端子台のハウジングの内部に設けられる端子モジュールが、板面同士が相互に対向するように配置された板状の接触部および板状の対向部を有する端子電極部材と、端子電極部材の対向部に固定された一端の固定部と、接触部と対向部との間に配置されて固定部に対して弾性変形可能な他端の弾性部とを有する板ばねと、端子電極部材の対向部に固定されて板ばねの弾性部の固定部に対する接近方向への移動を規制する移動規制板とを備える。【選択図】図４
2020095829.tif 000002
【特許請求の範囲】
【請求項１】
電線の導体部を挿抜可能な第１貫通孔と、前記第１貫通孔に隣接しかつ治具を挿抜可能な第２貫通孔とが設けられた端子接続面を有する箱状のハウジングを備えるプッシュイン式の端子台の前記ハウジングの内部に設けられる端子モジュールであって、
板面同士が相互に対向するように配置された板状の接触部および板状の対向部を有し、前記接触部と前記対向部との間に挿入された前記導体部が前記接触部の板面に接触する端子電極部材と、
前記端子電極部材の前記対向部に固定された一端の固定部と、前記接触部と前記対向部との間に配置されて前記固定部に対して弾性変形可能な他端の弾性部とを有し、前記弾性部が、前記ハウジングの内部に挿入された前記電線の導体部を前記接触部と共に挟持して、前記電線の導体部と前記端子電極部材とを接続状態にし、前記ハウジングの内部に挿入された治具によって前記固定部に接近する接近方向に弾性変形して、前記電線の導体部と前記端子電極部材とを非接続状態にする板ばねと、
前記対向部に固定されて、前記弾性部の前記接近方向への移動を規制する移動規制板と
を備える、端子モジュール。
【請求項２】
前記端子電極部材が、
前記接触部と前記対向部とに接続された板状の接続部を有し、
前記接続部が、
前記対向部に対して前記対向部の板厚方向に間隔を空けて配置されて、前記対向部と共に前記板ばねの前記固定部および前記移動規制板を挟持して固定する挟持部を有している、請求項１の端子モジュール。
【請求項３】
延在方向の一端部が前記ハウジングの内部に設けられた接点機構部に接続可能な接続端子をさらに備え、
前記接続端子のその延在方向の他端部が、前記板ばねの前記固定部および前記移動規制板と共に前記対向部および前記挟持部により挟持されて前記対向部に固定されている、請求項２の端子モジュール。
【請求項４】
前記接触部が、前記導体部の挿抜方向に延びており、
前記対向部が、前記端子接続面から離れるに従って前記接触部に接近するように前記導体部の挿抜方向に交差する方向に延びている、請求項１から３のいずれか１つの端子モジュール。
【請求項５】
前記移動規制板が、
前記板ばねの前記弾性部に対向するように配置され、前記弾性部に沿った形状を有する移動規制面を有している、請求項１から４のいずれか１つの端子モジュール。
【請求項６】
前記ハウジングと、
前記ハウジングの内部に設けられた請求項１から５のいずれか１つの端子モジュールと
を備える、プッシュイン式の端子台。
【請求項７】
前記端子接続面の中心線に対して対称でかつ前記対向部同士が隣接するように配置された少なくとも一対の前記端子モジュールを備える、請求項６の端子台。
【請求項８】
前記ハウジングの前記第２貫通孔が、
前記第１貫通孔および前記第２貫通孔の配列方向において、前記第１貫通孔から遠い方の内周面に設けられ、挿入された前記治具を保持する複数の保持面を有し、
前記複数の保持面の各々が、
前記端子接続面に交差する第１方向において前記端子接続面に近い第１の保持面と前記第１方向とが成す第１の角度よりも、前記第１方向において前記端子接続面から遠い第２の保持面と前記第１方向とが成す第２の角度の方が大きくなるように構成されている、請求項６または７の端子台。
【発明の詳細な説明】
【技術分野】
【０００１】
本開示は、端子モジュール、および、この端子モジュールを備えた端子台に関する。
【背景技術】
【０００２】
特許文献１には、電線を挿入するための電線挿入口と、電線を抜き差しする際に治具を挿入するための治具挿入口とが形成された筺体を備えるねじなし端子台（プッシュイン端子台、あるいは、プラグイン端子台ともいう。）の端子台が開示されている。
【０００３】
前記端子台では、筺体の内部に、電線挿入口から挿入された電線と電気的に接続する端子座と、電線挿入口から挿入された電線を端子座に向かって押圧する接圧バネとが設けられ、電線挿入口から挿入された電線は、端子座と接圧バネとの間に挟持され、抜け止めされる。そして、治具挿入口から治具を挿入すると、治具の先端が接圧バネと接触して、電線の抜け止めが解除される。
【先行技術文献】
【特許文献】
【０００４】
【特許文献１】特開２０１７−１６２５７９号公報
【発明の概要】
【発明が解決しようとする課題】
【０００５】
前記端子台では、筺体の内部の接圧バネを収容する収容部における電線挿入口および治具挿入口に対向する底面に、治具挿入口から挿入された治具による接圧バネの過度な弾性変形を防止するためのストッパが設けられているため、端子座および接圧バネの形状および配置などが制限され、その結果、設計の自由度が制限される場合がある。
【０００６】
本開示は、設計の自由度の高い端子モジュール、および、この端子モジュールを備えた端子台を提供することを課題とする。
【課題を解決するための手段】
【０００７】
本開示の一例の端子モジュールは、
電線の導体部を挿抜可能な第１貫通孔と、前記第１貫通孔に隣接しかつ治具を挿抜可能な第２貫通孔とが設けられた端子接続面を有する箱状のハウジングを備えるプッシュイン式の端子台の前記ハウジングの内部に設けられる端子モジュールであって、
板面同士が相互に対向するように配置された板状の接触部および板状の対向部を有し、前記接触部と前記対向部との間に挿入された前記導体部が前記接触部の板面に接触する端子電極部材と、
前記端子電極部材の前記対向部に固定された一端の固定部と、前記接触部と前記対向部との間に配置されて前記固定部に対して弾性変形可能な他端の弾性部とを有し、前記弾性部が、前記ハウジングの内部に挿入された前記電線の導体部を前記接触部と共に挟持して、前記電線の導体部と前記端子電極部材とを接続状態にし、前記ハウジングの内部に挿入された治具によって前記固定部に接近する接近方向に弾性変形して、前記電線の導体部と前記端子電極部材とを非接続状態にする板ばねと、
前記対向部に固定されて、前記弾性部の前記接近方向への移動を規制する移動規制板と
を備える。
【０００８】
また、本開示の一例の端子台は、
前記ハウジングと、
前記ハウジングの内部に設けられた請求項１から５のいずれか１つの端子モジュールと
を備える。
【発明の効果】
【０００９】
前記端子モジュールによれば、板状の接触部および板状の対向部を有する端子電極部材と、対向部に固定された一端の固定部と、固定部に対して弾性変形可能な他端の弾性部とを有する板ばねと、対向部に固定されて弾性部の固定部に対する接近方向への移動を規制する移動規制板とを備えている。このような構成により、板ばねの弾性部の過度な弾性変形を防止するための構成を端子台のハウジングに設ける必要がないので、端子モジュールの設計の自由度を高めることができる。その結果、設計の自由度の高い端子台を実現できる。
【００１０】
前記端子台によれば、前記端子モジュールにより、設計の自由度の高い端子台を実現できる。
【図面の簡単な説明】
【００１１】
【図１】本開示の一実施形態の端子台を備えた押ボタンスイッチを示す斜視図。
【図２】図１のII-II線に沿った断面図。
【図３】図１の端子台の第２貫通孔を示す図２の断面図の拡大図。
【図４】図１の端子台の端子モジュールを示す図２の断面図の拡大図。
【図５】図１の端子台の端子モジュールを示す斜視図。
【図６】図５とは異なる方向から見た図１の端子台の端子モジュールを示す斜視図。
【図７】図５の端子モジュールから移動規制板を取り除いた状態を示す斜視図。
【図８】図５の端子モジュールの移動規制板を示す斜視図。
【図９】図１のIX-IX線に沿った断面図。
【発明を実施するための形態】
【００１２】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１３】
本開示の一実施形態の端子台１０は、電線の導体部をハウジングの貫通孔からその内部に挿入するだけで工具を使用せずに電線の導体部とハウジングの内部に収容された端子電極部とを接続可能なプッシュイン式の端子台で、例えば、図１に示すように、押ボタンスイッチ１の一部を構成する。押ボタンスイッチ１は、端子台１０と、この端子台１０に接続された操作部２０とを備えている。
【００１４】
端子台１０は、一例として、略直方体の箱状のハウジング１１を有している。このハウジング１１は、図２に示すように、操作部２０が接続された第１面１１１と、第１面１１１に直交する方向に沿って第１面１１１と並んで配置されている第２面１１２（端子接続面の一例）とを有し、その内部に、接点機構部３０と、この接点機構部３０に電気的に接続された端子モジュール４０とが設けられている。接点機構部３０は、後述する操作部２０の可動部２２の第１方向Ｚ沿いの移動により、オンオフするように構成されている。
【００１５】
なお、以下の記載において、第２面１１２に交差（例えば、直交）する方向を第１方向Ｚとし、第１方向Ｚに直交する方向でかつ第１面１１１の長手方向に平行な方向を第２方向Ｙとし、第１方向Ｚに直交する方向でかつ第１面１１１の短手方向に平行な方向を第３方向Ｘとする。
【００１６】
図２に示すように、ハウジング１１の第２面１１２には、ハウジング１１の内部にそれぞれ接続された第１貫通孔１２および第２貫通孔１３が設けられている。第１貫通孔１２は、第１方向Ｚから電線の導体部９０が挿抜可能に構成されている。また、第２貫通孔１３は、第３方向Ｘにおいて第１貫通孔１２に隣接し、一例として、第１方向Ｚからマイナスドライバなどの長尺の治具１００が挿抜可能に構成されている。
【００１７】
第１貫通孔１２から電線の導体部９０を挿入することで、ハウジング１１の内部に設けられた端子モジュール４０に電線の導体部９０を接続することができる。また、治具１００を第２貫通孔１３からハウジング１１の内部に挿入することで、端子モジュール４０と電線の導体部９０との接続を解除することができる。
【００１８】
図３に示すように、第２貫通孔１３は、第１貫通孔１２および第２貫通孔１３の配列方向（すなわち、第３方向Ｘ）において、第１貫通孔１２から遠い方の内周面に設けられた複数の保持面１３１、１３２、１３３（この実施形態では、３つの傾斜面）を有している。各保持面１３１、１３２、１３３は、第１方向Ｚにおいて第２面１１２に近い保持面と第１方向Ｚとが成す角度よりも、第１方向Ｚにおいて端子接続面１１２から遠い保持面と第１方向Ｚとが成す角度の方が大きくなるように構成されている。
【００１９】
詳しくは、各保持面１３１、１３２、１３３をそれぞれ第１保持面１３１、第２保持面１３２、第３保持面１３３とし、第２方向Ｙから見たときの各保持面１３１、１３２、１３３を通る直線をそれぞれ第１直線Ｌ１、第２直線Ｌ２、第３直線Ｌ３とする。この場合、第１保持面１３１を通る第１直線Ｌ１は、第１方向Ｚに略平行であり、第２保持面１３２を通る第２直線Ｌ２と第１直線Ｌ１（≒第１方向Ｚ）とが成す角度θ１よりも、第３保持面１３３を通る第３直線Ｌ３と第１直線Ｌ１（≒第１方向Ｚ）とが成す角度θ２の方が大きくなっている。すなわち、第１直線Ｌ１と第１方向Ｚとが成す角度をθ０とした場合、各角度の関係は、θ０＜θ１＜θ２となる。このように構成された第１〜第３保持面１３１、１３２、１３３により、第２貫通孔１３からハウジング１１の内部に挿入された治具１００の先端１０１（図４参照）が、第１方向Ｚにおいて、後述する端子電極部材４１の底部４１４と第２面１１２との中間に位置している状態（すなわち、治具１００をハウジング１１の内部にまだ挿入できる状態）であっても、治具１００を第２貫通孔１３に挿入したまま保持することができる。
【００２０】
操作部２０は、図２に示すように、一例として、略Ｔ字状の軸部２１と、軸部２１の内部に第１方向Ｚに移動可能に配置された可動部２２とで構成されている。軸部２１のその延在方向（すなわち、第１方向Ｚ）の一端部は略直方体状で、ハウジング１１の外部に位置している。また、可動部２２は、その一部が軸部の延在方向の一端部からハウジング１１の外部に露出している。一例として、操作部２０の内部には、接点機構部３０のオンオフに連動して点灯／消灯する図示しないＬＥＤが配置され、このＬＥＤにより、可動部２２の軸部２１から露出している部分が照光する。
【００２１】
続いて、図４〜図８を参照して、端子モジュール４０をより詳細に説明する。この実施形態では、端子台１０は、図４に示すように、第２面１１２の中心線ＣＬに対して対称に配置された少なくとも一対の端子モジュール４０を備えている。
【００２２】
図４に示すように、各端子モジュール４０は、電線の導体部９０が接触する端子電極部材４１と、端子電極部材４１に固定された板ばね４２および移動規制板４３とを備えている。
【００２３】
端子電極部材４１は、図４に示すように、第３方向Ｘにおいて板面同士が相互に対向するように配置された板状の接触部４１１および板状の対向部４１２と、接触部４１１および対向部４１２に接続された板状の接続部４１３とを有している。
【００２４】
接触部４１１は、図５に示すように、第１方向Ｚに沿って延びる略矩形の板状で、その延在方向の第２面１１２側の端部に第３方向Ｘでかつ対向部４１２に接近する方向に突出する突出部４１８が設けられている。また、接触部４１１のその延在方向の第１面１１１側の端部には、約１８０度湾曲した湾曲部４１５が設けられている。
【００２５】
対向部４１２は、図６に示すように、略矩形の板状で、第１方向Ｚに交差しかつ第２面１１２から離れるに従って接触部４１１に接近する方向に延びている。すなわち、対向部４１２は、接触部４１１に対して傾斜している。対向部４１２のその延在方向の中間には、第２方向Ｙに延びる溝部４１６が設けられている。この溝部４１６には、後述する接続端子４４が配置されている。
【００２６】
接続部４１３は、図６に示すように、略台形の板状で、接触部４１１および対向部４１２の各々の板面における短手方向（すなわち、第２方向Ｙ）の一端部に接続されている。また、図７に示すように、接続部４１３には、対向部４１２に対して対向部４１２の板厚方向に間隔を空けて配置された挟持部４１７が設けられている。この挟持部４１７は、第１方向Ｚの第２面１１２の近くでかつ第３方向Ｘの対向部４１２の近くに配置され、対向部４１２と共に、後述する板ばね４２の固定部４２１、移動規制板４３および接続端子４４を挟持して固定する。
【００２７】
また、接触部４１１および対向部４１２の第１方向Ｚでかつ第２面１１２から遠い方の端部の間には、底部４１４が設けられている。この底部４１４は、第１方向Ｚにおいて、端子電極部材４１の接触部４１１の湾曲部４１５よりも第２面１１２の近くに配置されている。
【００２８】
図４に示すように、各端子モジュール４０において、接触部４１１、対向部４１２、接続部４１３および底部４１４で囲まれた領域４５には、第１貫通孔１２および第２貫通孔１３からハウジング１１の内部に挿入された電線の導体部９０および治具１００が配置される。この領域４５に配置された電線の導体部９０は、接触部４１１の板面に接触可能な状態で配置される。
【００２９】
なお、前記端子台１０では、一対の端子モジュール４０の各々を端子電極部材４１の対向部４１２同士が第３方向Ｘにおいて隣接するように配置して、電線の導体部９０が接触する端子電極部材４１の接触部４１１間の距離を最大限大きくしている。これにより、各端子モジュール４０間の配置間隔を小さくしつつ、絶縁距離を確保している。
【００３０】
板ばね４２は、図４に示すように、端子電極部材４１の対向部４１２に固定された一端の固定部４２１と、固定部４２１に対して弾性変形可能な他端の弾性部４２２と、固定部４２１および弾性部４２２に接続された湾曲部４２３とを有している。
【００３１】
弾性部４２２は、その先端が端子電極部材４１の接触部４１１の突出部４１８に接触して、ハウジング１１の内部に挿入された電線の導体部９０を端子電極部材４１の接触部４１１と共に挟持可能に配置されている。弾性部４２２と接触部４１１とで電線の導体部９０を挟持することで、電線の導体部９０と端子電極部材４１とが接続状態になる。また、ハウジング１１の内部に挿入された治具１００によって、弾性部４２２を固定部４２１に対する接近方向に弾性変形させることで、弾性部４２２および接触部４１１による電線の導体部９０の挟持が解除され、電線の導体部９０と端子電極部材４１とを非接続状態にする。
【００３２】
移動規制板４３は、図４に示すように、端子電極部材４１の対向部４１２に固定されて、弾性部４２２の固定部４２１に対する接近方向（すなわち、矢印Ａ方向）への移動を規制する。詳しくは、移動規制板４３は、板ばねの弾性部４２２に対向するように配置され、弾性部４２２に沿った形状を有する移動規制面４３１を有している。この移動規制面４３１に板ばね４２の弾性部４２２が接触することで、弾性部４２２の固定部４２１に対する接近方向への移動が規制される。
【００３３】
また、図８に示すように、移動規制板４３の移動規制面４３１には、端子電極部材４１の挟持部４１７を収容可能な切欠部４３２が設けられている。この切欠部４３２は、端子電極部材４１の挟持部４１７を収容したときに挟持部４１７が移動規制面４３１から突出して、板ばね４２の弾性部４２２に接触しないように構成されている。
【００３４】
接続端子４４は、図９に示すように、その延在方向の一端部が接点機構部３０の端子３１に接続可能であると共に、その延在方向の他端部が、端子電極部材４１の対向部４１２に固定されている。接続端子４４のその延在方向の他端部は、板ばね４２の固定部４２１および移動規制板４３と共に、対向部４１２および挟持部４１７により挟持されている。
【００３５】
前記端子モジュール４０では、板状の接触部４１１および板状の対向部４１２を有する端子電極部材４１と、対向部４１２に固定された一端の固定部４２１と、固定部４２１に対して弾性変形可能な他端の弾性部４２２とを有する板ばね４２と、対向部４１２に固定されて弾性部４２２の固定部４２１に対する接近方向への移動を規制する移動規制板４３とを備えている。このような構成により、板ばね４２の弾性部４２２の過度な弾性変形を防止するための構成を端子台１０のハウジング１１に設ける必要がないので、端子モジュール４０の設計の自由度を高めることができる。その結果、設計の自由度の高い端子台１０を実現できる。
【００３６】
また、端子電極部材４１が、接触部４１１と対向部４１２とに接続された板状の接続部４１３を有し、この接続部４１３が、対向部４１２に対して対向部４１２の板厚方向に間隔を空けて配置されて、対向部４１２と共に板ばね４２の固定部４２１および移動規制板４３を挟持して固定する挟持部４１７を有している。このような構成により、簡単かつ確実に、板ばね４２および移動規制板４３を端子電極部材４１に固定することができる。
【００３７】
また、延在方向の一端部がハウジング１１の内部に設けられた接点機構部３０に接続可能な接続端子４４をさらに備え、接続端子４４のその延在方向の他端部が、板ばね４２の固定部４２１および移動規制板４３と共に対向部４１２および挟持部４１７により挟持されて対向部４１２に固定されている。このような構成により、端子モジュール４０の設計の自由度をさらに高めることができる。
【００３８】
また、接触部４１１が、導体部９０の挿抜方向に延びており、対向部４１２が、第２面１１２から離れるに従って接触部４１１に接近するように導体部９０の挿抜方向に交差する方向に延びている。このような構成により、端子モジュール４０の設計の自由度をさらに高めることができる。
【００３９】
また、移動規制板４３が、板ばね４２の弾性部４２２に対向するように配置され、弾性部４２２に沿った形状を有する移動規制面４３１を有している。この移動規制面４３１により、治具１００による板ばね４２の弾性部４２２の損傷を低減できる。
【００４０】
また、前記端子台１０によれば、端子モジュール４０により、設計の自由度の高い端子台１０を実現できる。
【００４１】
また、第２面１１２の中心線ＣＬに対して対称でかつ対向部４１２同士が隣接するように配置された少なくとも一対の端子モジュール４０を備える。このような構成により、一対の端子モジュール４０間の絶縁距離を確保しつつ、端子台１０の小型化を図ることができる。
【００４２】
また、ハウジング１１の第２貫通孔１３が、第１貫通孔１２および第２貫通孔１３の配列方向において、第１貫通孔１２から遠い方の内周面に設けられ、挿入された治具１００を保持する複数の保持面１３１、１３２、１３３を有し、複数の保持面１３１、１３２、１３３の各々が、第１方向Ｚにおいて第２面１１２に近い第１の保持面と第１方向Ｚとが成す第１の角度よりも、第１方向Ｚにおいて第２面１１２から遠い第２の保持面と第１方向Ｚとが成す第２の角度の方が大きくなるように構成されている。このような構成により、第２貫通孔１３に挿入された治具１００が各保持面１３１、１３２、１３３により保持されるので、電線の導体部９０を第１貫通孔１２に挿入したり、第１貫通孔１２から抜き出したりする動作を治具１００から手を放したままで行うことができる。例えば、第１保持面１３１を第１の保持面とし、第２保持面１３２を第２の保持面とした場合、第１の角度は、第１直線Ｌ１と第１方向Ｚとが成す角度をθ０であり、第２の角度は、第２直線Ｌ２と第１直線Ｌ１とが成す角度θ１である。
【００４３】
なお、端子電極部材４１は、板面同士が相互に対向するように配置された板状の接触部４１１および板状の対向部４１２を有し、接触部４１１と対向部４１２との間に挿入された電線の導体部９０が接触部４１１の板面に接触するように構成されていればよく、前記実施形態に限定されない。
【００４４】
例えば、接続部４１３を省略して、板ばね４２および移動規制板４３を直接対向部４１２に固定してもよい。
【００４５】
また、対向部４１２は、接触部４１１に対して傾斜するように配置されている場合に限らず、接触部４１１に対して略平行になるように配置することもできる。
【００４６】
また、接続端子４４を省略して、接触部４１１の湾曲部４１５を介して端子モジュール４０が接点機構部３０に電気的に接続されるように構成してもよい。
【００４７】
移動規制板４３は、対向部４１２に固定されて、板ばね４２の弾性部４２２の固定部４２１に対する接近方向への移動を規制することができればよく、例えば、移動規制面４３１は省略することができる。
【００４８】
端子台１０は、一対の端子モジュール４０を備える場合に限らない。端子台１０は、例えば、１つの端子モジュール４０のみを備えることもできるし、複数対の端子モジュール４０を備えることもできる。
【００４９】
第２貫通孔１３の複数の保持面１３１、１３２、１３３は、省略しても構わない。
【００５０】
以上、図面を参照して本開示における種々の実施形態を詳細に説明したが、最後に、本開示の種々の態様について説明する。なお、以下の説明では、一例として、参照符号も添えて記載する。
【００５１】
本開示の第１態様の端子モジュール４０は、
電線の導体部９０を挿抜可能な第１貫通孔１２と、前記第１貫通孔１２に隣接しかつ治具１００を挿抜可能な第２貫通孔１３とが設けられた端子接続面１１２を有する箱状のハウジング１１を備えるプッシュイン式の端子台１０の前記ハウジング１１の内部に設けられる端子モジュール４０であって、
板面同士が相互に対向するように配置された板状の接触部４１１および板状の対向部４１２を有し、前記接触部４１１と前記対向部４１２との間に挿入された前記導体部９０が前記接触部４１１の板面に接触する端子電極部材４１と、
前記端子電極部材４１の前記対向部４１２に固定された一端の固定部４２１と、前記接触部４１１と前記対向部４１２との間に配置されて前記固定部４２１に対して弾性変形可能な他端の弾性部４２２とを有し、前記弾性部４２２が、前記ハウジング１１の内部に挿入された前記電線の導体部９０を前記接触部４１１と共に挟持して、前記電線の導体部９０と前記端子電極部材４１とを接続状態にし、前記ハウジング１１の内部に挿入された治具１００によって前記固定部４２１に接近する接近方向に弾性変形して、前記電線の導体部９０と前記端子電極部材４１とを非接続状態にする板ばね４２と、
前記対向部４１２に固定されて、前記弾性部４２２の前記接近方向への移動を規制する移動規制板４３と
を備える。
【００５２】
第１態様の端子モジュール４０によれば、板ばね４２の弾性部４２２の過度な弾性変形を防止するための構成を端子台１０のハウジング１１に設ける必要がないので、端子モジュール４０の設計の自由度を高めることができる。その結果、設計の自由度の高い端子台１０を実現できる。
【００５３】
本開示の第２態様の端子モジュール４０は、
前記端子電極部材４１が、
前記接触部４１１と前記対向部４１２とに接続された板状の接続部４１３を有し、
前記接続部４１３が、
前記対向部４１２に対して前記対向部４１２の板厚方向に間隔を空けて配置されて、前記対向部４１２と共に前記板ばね４２の前記固定部４２１および前記移動規制板４３を挟持して固定する挟持部４１７を有している。
【００５４】
第２態様の端子モジュール４０によれば、簡単かつ確実に、板ばね４２および移動規制板４３を端子電極部材４１に固定することができる。
【００５５】
本開示の第３態様の端子モジュール４０は、
延在方向の一端部が前記ハウジング１１の内部に設けられた接点機構部３０に接続可能な接続端子４４をさらに備え、
前記接続端子４４のその延在方向の他端部が、前記板ばね４２の前記固定部４２１および前記移動規制板４３と共に前記対向部４１２および前記挟持部４１７により挟持されて前記対向部４１２に固定されている。
【００５６】
第３態様の端子モジュール４０によれば、端子モジュール４０の設計の自由度をさらに高めることができる。
【００５７】
本開示の第４態様の端子モジュール４０は、
前記接触部４１１が、前記導体部９０の挿抜方向に延びており、
前記対向部４１２が、前記端子接続面１１２から離れるに従って前記接触部４１１に接近するように前記導体部９０の挿抜方向に交差する方向に延びている。
【００５８】
第４態様の端子モジュール４０によれば、端子モジュール４０の設計の自由度をさらに高めることができる。
【００５９】
本開示の第５態様の端子モジュール４０は、
前記移動規制板４３が、
前記板ばね４２の前記弾性部４２２に対向するように配置され、前記弾性部４２２に沿った形状を有する移動規制面４３１を有している。
【００６０】
第５態様の端子モジュール４０によれば、移動規制面４３１により、治具１００による板ばね４２の弾性部４２２の損傷を低減できる。
【００６１】
本開示の第６態様の端子台１０は、
前記ハウジング１１と、
前記ハウジング１１の内部に設けられたいずれか１つの前記端子モジュールと
を備える。
【００６２】
第６態様の端子台１０によれば、端子モジュール４０により、設計の自由度の高い端子台１０を実現できる。
【００６３】
本開示の第７態様の端子台１０は、
前記端子接続面１１２の中心線ＣＬに対して対称でかつ前記対向部４１２同士が隣接するように配置された少なくとも一対の前記端子モジュール４０を備える。
【００６４】
第７態様の端子台１０によれば、一対の端子モジュール４０間の絶縁距離を確保しつつ、端子台１０の小型化を図ることができる。
【００６５】
本開示の第８態様の端子台１０は、
前記ハウジング１１の前記第２貫通孔１３が、
前記第１貫通孔１２および前記第２貫通孔１３の配列方向において、前記第１貫通孔１２から遠い方の内周面に設けられ、挿入された前記治具１００を保持する複数の保持面１３１、１３２、１３３を有し、
前記複数の保持面１３１、１３２、１３３の各々が、
前記端子接続面１１２に交差する第１方向Ｚにおいて前記端子接続面１１２に近い第１の保持面と前記第１方向Ｚとが成す第１の角度よりも、前記第１方向Ｚにおいて前記端子接続面１１２から遠い第２の保持面と前記第１方向Ｚとが成す第２の角度の方が大きくなるように構成されている。
【００６６】
第８態様の端子台１０によれば、第２貫通孔１３に挿入された治具１００が各保持面１３１、１３２、１３３により保持されるので、電線の導体部９０を第１貫通孔１２に挿入したり、第１貫通孔１２から抜き出したりする動作を治具１００から手を放したままで行うことができる。
【００６７】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００６８】
本開示の端子モジュールは、例えば、プッシュイン式の端子台に適用できる。
【００６９】
本開示の端子台は、例えば、押ボタンスイッチに適用できる。
【符号の説明】
【００７０】
１  押ボタンスイッチ
１０  端子台
１１  ハウジング
１１１  第１面
１１２  第２面（端子接続面の一例）
１２  第１貫通孔
１３  第２貫通孔
１３１、１３２、１３３  保持面
２０  操作部
２１  軸部
２２  可動部
３０  接点機構部
４０  端子モジュール
４１  端子電極部材
４１１  接触部
４１２  対向部
４１３  接続部
４１４  底部
４１５  湾曲部
４１６  溝部
４１７  挟持部
４１８  突出部
４２  板ばね
４２１  固定部
４２２  弾性部
４２３  湾曲部
４３  移動規制板
４３１  移動規制面
４３２  切欠部
４４  接続端子
４５  領域
９０  導体部
１００  治具
１０１  先端
Ｘ  第３方向
Ｙ  第２方向
Ｚ  第１方向
Ｌ１〜Ｌ３  直線
ＣＬ  中心線
θ０〜θ２  角度
【図１】
2020095829.tif 000003
【図２】
2020095829.tif 000004
【図３】
2020095829.tif 000005
【図４】
2020095829.tif 000006
【図５】
2020095829.tif 000007
【図６】
2020095829.tif 000008
【図７】
2020095829.tif 000009
【図８】
2020095829.tif 000010
【図９】
2020095829.tif 000011